(57)【特許請求の範囲】
【請求項１】
レセプタクルの中心導体に接触する導電体からなるソケットに剥き出しとされた同軸ケーブルの芯線を固定するとともに電気的接続し、２つの分割体をヒンジ結合した形状で金型による樹脂成型品の誘電部材で前記芯線および前記ソケットを挟んで前記芯線と前記ソケットの挿入方向を除く全周を囲み、前記挟んだ状態の誘電部材の外周に係止突部を設け、前記レセプタクルの外部導体に略筒状の縁部が嵌合接触する導電体からなるキャップ状のプレス成型品のハウジングに前記挟んだ状態の誘電部材を挿入嵌合して前記誘電部材を前記挿入方向を除いてほぼ全周を囲み、前記ハウジングに前記誘電部材を挿入嵌合した状態で前記係止突部に臨んで係止孔を穿設して、前記係止孔に前記係止突部を挿入係止させ、しかも前記ハウジングから前記同軸ケーブルが延びる方向に設けた圧着部で前記同軸ケーブルの外部導体をカシメて把持固定するように構成したことを特徴とする同軸コネクタ。
【発明の詳細な説明】
【０００１】
【発明の属する技術分野】
本発明は、組み立てが容易であるとともにインピーダンス特性が安定した同軸コネクタに関するものである。
【０００２】
【従来の技術】
携帯通信機器の構成部品として、レセプタクルに接続分離自在な小型の同軸コネクタが汎用されている。かかる小型の同軸コネクタの一例が、特許第３１２０６９２号で提案されている。この技術は、同軸コネクタの外部導体を一枚の金属板から打ち抜きおよび折り曲げ加工し、組み立ての際にさらに折り曲げて最終的な形状を形成するものである。
【０００３】
【発明が解決しようとする課題】
上記従来の技術にあっては、組み立ての際に折り曲げ加工を必要とし、その作業が煩雑である。しかも、折り曲げ加工された形状の寸法精度が必ずしも安定しておらず、接合されるべき部分に隙間が生ずる虞があり、同軸コネクタのインピーダンス特性が安定しないという不具合がある。
【０００４】
本発明は、上述の従来技術の事情に鑑みてなされたもので、組み立てが簡単でしかもインピーダンス特性が安定した同軸コネクタを提供することも目的とする。
【０００５】
【課題を解決するための手段】
かかる目的を達成するために本発明の同軸コネクタは、レセプタクルの中心導体に接触する導電体からなるソケットに剥き出しとされた同軸ケーブルの芯線を固定するとともに電気的接続し、２つの分割体をヒンジ結合した形状で金型による樹脂成型品の誘電部材で前記芯線および前記ソケットを挟んで前記芯線と前記ソケットの挿入方向を除く全周を囲み、前記挟んだ状態の誘電部材の外周に係止突部を設け、前記レセプタクルの外部導体に略筒状の縁部が嵌合接触する導電体からなるキャップ状のプレス成型品のハウジングに前記挟んだ状態の誘電部材を挿入嵌合して前記誘電部材を前記挿入方向を除いてほぼ全周を囲み、前記ハウジングに前記誘電部材を挿入嵌合した状態で前記係止突部に臨んで係止孔を穿設して、前記係止孔に前記係止突部を挿入係止させ、しかも前記ハウジングから前記同軸ケーブルが延びる方向に設けた圧着部で前記同軸ケーブルの外部導体をカシメて把持固定するように構成されている。
【０００６】
【発明の実施の形態】
以下、本発明の一実施例を、図１ないし図７を参照して説明する。図１は、芯線が剥き出しとされた同軸ケーブルに金属チューブを挿入する図である。図２は、剥き出しとされた芯線をソケットに半田付けして誘電部材に挿入する図である。図３は、芯線とソケットを誘電部材で挟みハウジングに挿入嵌合する図である。図４は、誘電部材をハウジングに挿入嵌合して圧着部をカシメて同軸コネクタを組み立てた図である。図５は、組み立てられた本発明の同軸コネクタの縦断面図である。図６は、本発明の同軸コネクタをレセプタクルに接続しようとする図である。図７は、本発明の同軸コネクタがレセプタクルに接続された図である。
【０００７】
まず、図１のごとく同軸ケーブル１０の外部導体１０ａおよび芯線１０ｂを剥き出し状態とし、芯線１０ｂを覆う誘電体１０ｃと外部導体１０ａの間に金属チューブ１２を挿入する。
【０００８】
そして、図２のごとく、レセプタクルの中心導体３２（図６参照）に接触して電気的接続される導電体からなるソケット１４に、芯線１０ｂが半田付け１６されて固定されるとともに電気的接続される。また、半田付け１６された芯線１０ｂとソケット１４が、２つの分割体１８ａ，１８ｂがヒンジ結合１８ｃされた誘電部材１８の一方の凹部１８ｄに挿入されて組み込まれる。この誘電部材１８の凹部１８ｄ，１８ｄは、ソケット１４と芯線１０ｂが半田付け１６された形状が２分割された凹状とされ、誘電部材１８の２つの分割体１８ａ，１８ｂで挟み込むことで、ソケット１４をレセプタクル３０に挿入する部分を除いて、ソケット１４と芯線１０ｂの全周囲が囲まれる。この誘電部材１８の２つの分割体１８ａ，１８ｂで挟み込んだ状態が、図３に示される。ここで、挟み込んだ状態の誘電部材１８は偏平な略円柱状であり、その外周面に係止突部１８ｅが突設される。
【０００９】
さらに、図３のごとく、導電材からなるキャップ状のハウジング２０に、誘電部材１８が挿入嵌合される。ハウジング２０の略筒状の縁部２０ａに、スリットが設けられて径方向に弾性変形可能であり、レセプタクル３０の円筒状の外部導体３４に嵌合接続が可能である。また、ハウジング２０には、誘電部材１８が挿入嵌合された状態で係止突部１８ｅに臨んで係止孔２０ｂが穿設され、係止孔２０ｂに係合突部１８ｅが挿入係止されて、ハウジング２０から誘電部材１８の抜けが阻止される。さらに、ハウジング２０には、同軸ケーブル１０が延びる方向に圧着部２０ｃが一体的に設けられる。
【００１０】
なお、誘電部材１８は、金型による樹脂成型品であり、所定の形状のものが安価に量産し得る。また、ハウジング１８は、プレス成型品であり、同様に安価に量産できる。
【００１１】
そしてまた、図３のごとく、誘電部材１８をハウジング２０に挿入嵌合し、さらに図４のごとく、圧着部２０ｃをカシメて外部導体１０ａおよび同軸ケーブル１０の外皮を把持固定する。もって、本発明の同軸コネクタ２２が構成される。
【００１２】
この発明の同軸コネクタ２２は、図５に縦断面で示すごとく、芯線１０ｂとソケット１４の挿入方向を除く全周が誘電部材１８に囲まれ、しかもこの誘電部材１８が挿入方向を除いてほぼ全周がハウジング２０で囲まれる。そこで、ほぼ完全な同軸構造が形成されている。そして、誘電部材１８およびハウジング２０は成型品で形成でき、その形状が安定していて、同軸コネクタ２２のインピーダンス特性はバラツキを生じず安定している。また、組み立ては、半田付け１６された芯線１０ｂとソケット１４を誘電部材１８で挟み、これをハウジング２０に挿入嵌合させ、さらに圧着部２０ｃをカシメるだけで良く、その作業は簡単である。
【００１３】
かかる構成からなる本発明の同軸コネクタ２２は、図６に示すごとく、レセプタクル３０に組み付けて、図７のごとき状態とすることで、レセプタクル３０の中心導体３２と同軸ケーブル１０の芯線１０ｂが電気的接続され、またレセプタクル３０の外部導体３４が同軸ケーブル１０の外部導体１０ａに電気的接続され、同軸構造で接続がなされる。
【００１４】
なお、上記実施例では、ソケット１４に芯線１０ｂを半田付け１６しているが、これに限られず、固定と電気的接続がなされるならば、いかなる構造で接合されても良い。また、誘電部材１８の２つの分割体１８ａ，１８ｂがヒンジ結合１８ｃされれば良く、ヒンジ結合１８ｃが設けられる位置は上記実施例に限られるものでない。
【００１５】
【発明の効果】
上記に説明したように本発明の同軸コネクタは構成されているので、以下のごとき格別な効果を奏する。
【００１６】
請求項１記載の同軸コネクタにあっては、組み立てが簡単である。しかも、組み立てられた状態での誘電部材およびハウジングの形状が一定であり、同軸コネクタのインピーダンス特性が安定している。また、係止突部と係止孔により、簡単な構造でハウジングに挿入嵌合された誘電部材の抜けを阻止できる。もって、量産に好適である。
【図面の簡単な説明】
【図１】  芯線が剥き出しとされた同軸ケーブルに金属チューブを挿入する図である。
【図２】  剥き出しとされた芯線をソケットに半田付けして誘電部材に挿入嵌合する図である。
【図３】  芯線とソケットを誘電部材で挟みハウジングに挿入する図である。
【図４】  誘電部材をハウジングに挿入嵌合して圧着部をカシメて同軸コネクタを組み立てた図である。
【図５】  組み立てられた本発明の同軸コネクタの縦断面図である。
【図６】  本発明の同軸コネクタをレセプタクルに接続しようとする図である。
【図７】  本発明の同軸コネクタがレセプタクルに接続された図である。
【符号の説明】
１０  同軸ケーブル
１０ａ  外部導体
１０ｂ  芯線
１４  ソケット
１８  誘電部材
１８ａ，１８ｂ  分割体
１８ｃ  ヒンジ結合
１８ｄ  凹部
１８ｅ  係止突部
２０  ハウジング
２０ａ  縁部
２０ｂ  係止孔
２０ｃ  圧着部
２２  同軸コネクタ
３０  レセプタクル
３２  中心導体
３４  外部導体
【図１】
0003884254.tif 000002
【図２】
0003884254.tif 000003
【図３】
0003884254.tif 000004
【図４】
0003884254.tif 000005
【図６】
0003884254.tif 000006
【図７】
0003884254.tif 000007
【図５】
0003884254.tif 000008